(57)【要約】      （修正有）【課題】交換に便利であり、原料を節減可能であり、快適性を有する男性専用の紙オムツを提供する。【解決手段】尿パッド１は、湾曲し、第一パッド体１１、第一パッド体１１に相対する第二パッド体を有する。第一パッド体１１と第二パッド体との間には、収容空間が形成される。第一パッド体１１の周縁と第二パッド体の周縁とは、開口１４を形成する。尿パッド１には挿入口１５が設置され、挿入口１５は収容空間と連通する。尿パッド１は、複数の挟持部を有する。挟持部は、挿入口１５を包囲する。複数の漏れ防止部は開口１４の周縁に設置される。【選択図】図１
2015139663.tif 000002
【特許請求の範囲】
【請求項１】
尿パッド、および複数の漏れ防止部を備え、
前記尿パッドは、湾曲しており、第一パッド体、および、前記第一パッド体に相対する第二パッド体を有し、前記第一パッド体と前記第二パッド体との間に収容空間が形成されており、前記第一パッド体の周縁と前記第二パッド体の周縁とが開口を形成し、前記収容空間に連通している挿入口が形成されており、前記挿入口を包囲する複数の挟持部が形成されており、
前記複数の漏れ防止部は、前記開口の周縁に設置されていることを特徴とする男性専用の紙オムツ。
【請求項２】
前記尿パッドは、四辺形を呈し、向かい合って畳まれており相互に重なる第一パッド体と第二パッド体を有し、
前記第一パッド体の周縁および前記第二パッド体の周縁は、一つの端辺及び二つの側辺を有し、
前記漏れ防止部は、前記二対の側辺に設置されていることを特徴とする請求項１に記載の男性専用の紙オムツ。
【請求項３】
前記端辺は、互いに対応する結合部材が設置されており、
前記結合部材は、相互に対応して結合することを特徴とする請求項２に記載の男性専用の紙オムツ。
【請求項４】
前記二対の側辺のうち一対は、閉合部が設けられており、
前記閉合部を有する前記側辺が形成する開口は前記閉合部により閉合可能であることを特徴とする請求項２に記載の男性専用の紙オムツ。
【請求項５】
位置決め部をさらに備え、
前記位置決め部は、前記挟持部の前記挿入口とは反対側の一端に設置されていることを特徴とする請求項１に記載の男性専用の紙オムツ。
【請求項６】
接触層をさらに備え、
前記尿パッドは、前記収容空間に対面する第一表面、及び前記第一表面に相対する第二表面を有し、
前記接触層は、前記第二表面に設置されていることを特徴とする請求項１に記載の男性専用の紙オムツ。
【請求項７】
前記挿入口は、Ｉ字、一字、十字、または米字の形状を有することを特徴とする請求項１に記載の男性専用の紙オムツ。
【請求項８】
前記挿入口は、十字或いは米字の形状を呈し、
前記挟持部は、前記挿入口に隣接する一端が、円弧状であることを特徴とする請求項１に記載の男性専用の紙オムツ。  
【発明の詳細な説明】
【技術分野】
【０００１】
本発明は、男性専用の紙オムツに関する。
【背景技術】
【０００２】
特許文献１に開示する「使い捨て式ポケット型紙尿パッド」は、少なくとも中央の幅が広いメインパッドシート、及び両側の幅が狭いサブパッドシートを備える。
畳む時には、両側のサブパッドシートを、両側の畳み線に沿ってそれぞれメインパッドシートの上に重ねて畳む。
これにより、第一サブパッドシートは、第二サブパッドシート上に重ねられ、サブパッドシートの前方側辺の重なった位置には、可動式開口が形成される。
【０００３】
上述した紙尿パッドを成形後、その上、下縁を閉合し、紙尿パッドにシート状形態を形成させる。
同時に、その内部に、ポケット状の内部空間が形成される。
また、中央メインパッドシートの適当な位置に、適当な大きさの挿入口が設置され、これにより男性生殖器を入れることができる。
【０００４】
使用時には、開口により、手を紙尿パッド内部のポケット状の空間に入れ、こうして男性生殖器を調整し、挿入口位置から、紙尿パッド内へ入れる。
【先行技術文献】
【特許文献】
【０００５】
【特許文献１】台湾特許番号第２９０４６１号明細書
【発明の概要】
【発明が解決しようとする課題】
【０００６】
しかし、上述した発明は、使用上に欠点があり、改善する必要がある。その原因は下記の通りである。
【０００７】
（１）特許文献１では、両側のサブパッドシートが重なり、ポケット状の内部空間を形成するため、男性生殖器の位置を調整後も、調整された位置が変化し易く、調整が不便であるという問題がある。
【０００８】
（２）特許文献１の尿パッドの周縁は、高周波融合方式により結合されるため、尿量が多いと、シーリングの位置が長時間湿潤となり、また外に漏れる恐れがある。
【０００９】
（３）特許文献１では、挿入口は、ある程度の期間の使用により、束縛力が低下するという問題があり、これによって尿パッドは緩んでしまう。
本発明は、上述の問題に鑑みてなされたものであり、その目的は、既存のパンツ型紙オムツ或いはアンダーパンツに合わせて使用可能であり、交換に便利であり、原料を節減可能であり、快適性を有する男性専用の紙オムツを提供することにある。
【課題を解決するための手段】
【００１０】
本発明による男性専用の紙オムツは、尿パッド、および複数の漏れ防止部を備える。尿パッドは、湾曲しており、第一パッド体、および、第一パッド体に相対する第二パッド体を有し、第一パッド体と第二パッド体との間に収容空間が形成されており、第一パッド体の周縁と第二パッド体の周縁とが開口を形成し、収容空間に連通している挿入口が形成されており、挿入口を包囲する複数の挟持部が形成されている。複数の漏れ防止部は、開口の周縁に設置されている。
【００１１】
尿パッドは、四辺形を呈し、向かい合って畳まれており相互に重なる第一パッド体と第二パッド体を有する。第一パッド体の周縁および第二パッド体の周縁は、一つの端辺及び二つの側辺を有する。漏れ防止部は、二対の側辺に設置されている。
【００１２】
端辺は、互いに対応する結合部材が設置されている。結合部材は、相互に対応して結合する。
【００１３】
二対の側辺のうち一対は、閉合部が設けられている。閉合部を有する側辺が形成する開口は閉合部により閉合可能である。
【００１４】
男性専用の紙オムツは、位置決め部をさらに備える。位置決め部は、挟持部の挿入口とは反対側の一端に設置されている。
【００１５】
男性専用の紙オムツは、接触層をさらに備える。尿パッドは、収容空間に対面する第一表面、及び第一表面に相対する第二表面を有する。接触層は、第二表面に設置されている。
【００１６】
挿入口は、Ｉ字、一字、十字、または米字の形状を有する。
【００１７】
挿入口は、十字或いは米字の形状を呈する。挟持部は、挿入口に隣接する一端が、円弧状である。
【００１８】
本発明の効果は下記の通りである。
（１）第一パッド体の周縁と第二パッド体の周縁とは開口を形成するため、従来の技術とは異なり、男性生殖器を調整して挿入口の位置に入れ易くすることができる。調整後は、手をそのまま外に出すことができるため、調整が完了した位置をずらしてしまうおそれがない。
【００１９】
（２）漏れ防止部は、開口周縁に設置し、高周波融合方式によるシーリングのため、外に漏れるおそれがあった従来の技術に存在する問題を回避することができる。
【００２０】
（３）位置決め部は、挟持部の挿入口とは反対側の一端に設置されているため、長時間の使用により尿パッド内層材料が圧迫を受け、挿入口の回復力が衰え、束縛力の低下による尿パッドの緩みの問題を回避することができる。
【００２１】
（４）端辺は、互いに対向している結合部材がそれぞれ設置されているため、結合端辺は、尿パッドの構造を安定させ、長時間使用することによる尿パッドの歪みを回避することができる。
【００２２】
（５）二対の側辺の一方には閉合部が設置されているため、閉合部を有する側辺が形成されている開口が閉合され、尿パッドの構造を安定させることができる。端辺から未閉合の側辺までは開口を形成するため、尿パッド装着の位置を調整する手を差し入れる空間とすることができる。
【００２３】
（６）接触層は、第二表面に設置され、不織布であるため、尿パッドと皮膚との接触の快適性を高め、蒸れた不快感を回避することができる。
【００２４】
（７）挟持部は、挿入口に隣接する一端が円弧状であるため、装着の不快を回避することができる。
【図面の簡単な説明】
【００２５】
【図１】本発明の第一実施形態による男性専用の紙オムツを示す斜視図である。
【図２】本発明の第一実施形態による男性専用の紙オムツを示す斜視図である。
【図３】本発明の第一実施形態による男性専用の紙オムツを示す断面図である。
【図４】本発明の第一実施形態による男性専用の紙オムツの応用状態を示す模式図である。
【図５】本発明の第二実施形態による男性専用の紙オムツを示す斜視図である。
【図６】本発明の第三実施形態による男性専用の紙オムツを示す斜視図である。
【図７】本発明の第四実施形態による男性専用の紙オムツを示す斜視図である。
【図８】本発明の第四実施形態による男性専用の紙オムツを示す斜視図である。
【図９】本発明の第四実施形態による男性専用の紙オムツの応用状態を示す模式図である。
【発明を実施するための形態】
【００２６】
本発明の実施形態による男性専用の紙オムツを図面に基づいて説明する。
（第一実施形態）
本発明の第一実施形態による男性専用の紙オムツの構造を図１、図２に示す。図１、２に示すように、本実施形態の男性専用の紙オムツは、尿パッド１及び複数の漏れ防止部２を備える。
【００２７】
尿パッド１は、湾曲し、第一パッド体１１、第一パッド体１１に相対する第二パッド体１２を備える。
第一パッド体１１と第二パッド体１２との間には、収容空間１３が形成される。
第一パッド体１１の周縁と第二パッド体１２の周縁とは、開口１４を形成する。
【００２８】
従来の技術とは異なり、尿パッド１の位置を調整後、手を直接抜き取ることができるため、調整された位置を動かしてしまう恐れはない。
しかも、尿パッド１は、全体が湾曲状を呈する。底部は、連続した一体構造であるため、高周波融合方式によるシーリングで外に漏れる恐れがあった従来の技術に存在する問題を回避することができる。
【００２９】
尿パッド１の第一パッド体１１には挿入口１５が設置され、挿入口１５は収容空間１３に連通する。
尿パッド１は複数の挟持部１６を備え、挟持部１６は挿入口１５を包囲する。
本実施形態では、挿入口１５は、高周波熱ホットプレスにより裁断して形成される。
挿入口１５は、Ｉ字状或いは一字状を呈する。
本実施形態中では、挿入口１５は一字状を呈し、位置決め部１７をさらに備える。
【００３０】
位置決め部１７は、挟持部１６の挿入口１５とは反対側の一端に設置される。
本実施形態では、位置決め部１７は、高周波ホットプレスにより、尿パッド１と融合する。
挿入口１５を長期間使用することで、尿パッド１の内層材料が圧迫を受け、回復力が衰え、束縛力が低下することで尿パッド１が緩むという問題を回避することができる。
【００３１】
尿パッド１は、四辺形を呈し、向かい合って畳み、相互に重なる第一パッド体１１と第二パッド体１２を備える。
第一パッド体１１の周縁および第二パッド体１２の周縁は、一つの端辺１８及び二つの側辺１９を有する。
端辺１８は、互いに対応する結合部材１８１が設置され、結合部材１８１は相互に対応して結合する。
本実施形態の結合部材１８１は、粘着接合部材である。粘着接合部材は、可動状で分離可能に相互に接着し、調整後、繰り返して接着して固定できる。
こうして、結合端辺１８は、尿パッド１の構造を安定させ、長時間使用することで尿パッド１が歪むことを回避することができる。
【００３２】
複数の漏れ防止部２は、二対の側辺１９に設置されている。
漏れ防止部２は、不織布であり、防水作用を有する。よって、高周波融合方式によるシーリングで外に漏れる恐れがあった従来の技術に存在する問題を回避することができる。
【００３３】
図２及び図３に示すように、接触層３をさらに備える。尿パッド１は、収容空間１３に対面する第一表面１０１、及び第一表面１０１に相対する第二表面１０２を備える。
接触層３は、第二表面１０２に設置される。
接触層３は、第二表面１０２に設置され、不織布であることから、通気作用を有するため、長時間身に着けていても、蒸れて不快となることを抑制することができる。
【００３４】
本発明第一実施形態の断面図である図３に示すように、本実施形態中の尿パッド１は、外から内への順で、接触層３および防水層４はPE材質であり、吸水層５は高分子吸水材料であり、透水層６は不織布である。
【００３５】
図２、及び図４に示すように、男性生殖器Ａを挿入口１５に入れ、挟持部１６により尿パッド１の位置を固定する。
さらに、アンダーパンツＢを合わせて安定させ、パンツ型紙オムツにより実施することもできる。
こうして、長時間トイレへ行けない、或いは自らトイレへ行くことが困難な高齢者は、尿パッド１中にそのまま排尿することができる。
【００３６】
（第二実施形態）
本発明の第二実施形態の斜視図である図５に示すように、第二実施形態と第一実施形態との差異を以下に説明する。
第二実施形態の挿入口１５ａは、十字状を呈し、第二実施形態の挟持部１６ａの挿入口１５ａに隣接する一端は、円弧状である。
位置決め部１７ａをさらに備え、位置決め部１７ａは、挟持部１６ａの挿入口１５ａとは反対側の一端に設置される。
十字状の挿入口１５ａにより、使用者は、便利に挿入することができ、しかも挟持部１６ａの挿入口１５ａに隣接する一端が円弧状であるため、挟持部１６ａによる使用者の不快を回避できる。
【００３７】
（第三実施形態）
本発明の第三実施形態の斜視図である図６に示すように、第三実施形態と第一実施形態との差異を以下に説明する。
第三実施形態の挿入口１５ｂは、米字状を呈し、第三実施形態の挟持部１６ｂの挿入口１５ｂに隣接する一端は、円弧状であるため、挟持部１６ｂによる使用者の不快を回避できる。
さらに、位置決め部１７ｂを備え、位置決め部１７ｂは、挟持部１６ｂの挿入口１５ｂとは反対側の一端に設置され、挟持部１６ｂの周縁に環状に設置され、挟持部１６ｂの挟持力の低下を回避することができる。
【００３８】
（第四実施形態）
本発明の第四実施形態の立体図である図７及び図８に示すように、第四実施形態と第一実施形態との差異を以下に説明する。
第四実施形態の二対の側辺１９ｃの一方には、閉合部１９１ｃが設置される。
これにより、閉合部１９１ｃを備える側辺１９ｃが形成する開口１４ｃを閉合し、尿パッド１ｃの構造を安定させることができる。
端辺１８ｃから未閉合の側辺１９ｃまでは、開口１４ｃが形成され、尿パッド１ｃの装着位置を調整する手を差し入れる空間とすることができる。調整後は手をそのまま外に出すことができるため、調整が完了した位置がずらしてしまう恐れはない。
【００３９】
図８、及び図９に示すように、男性生殖器Ａは、挿入口１５ｃを通し、挟持部１６ｃにより尿パッド１ｃでの位置が調整される。
アンダーパンツＢを対応して安定させ、パンツ型紙オムツにより実施することもできる。
こうして、長時間トイレへ行けない、或いは自らトイレへ行くことが困難な高齢者は、尿パッド１ｃ中にそのまま排尿でき、装着後は、随時調整の機能を有する。
【００４０】
上述の実施形態の説明を総合すると、本発明の操作、使用、及び本発明が生じる効果を充分理解することができる。しかし、以上に述べた実施形態は単に本発明の好ましい実施形態であり、これによって本発明の特許請求の範囲を限定することではない。即ち本発明の特許請求の範囲及び説明書の内容に基づいて、同等効果を有する簡単な変化及び修飾は、全て、本発明の範囲内に属するものとする。
【符号の説明】
【００４１】
１  尿パッド、
１ｃ  尿パッド、
１１  第一パッド体、
１１ｃ  第一パッド体、
１２  第二パッド体、
１２ｃ  第二パッド体、
１３  収容空間、
１３ｃ  収容空間、
１４  開口、
１４ｃ  開口、
１５  挿入口、
１５ａ  挿入口、
１５ｂ  挿入口、
１５ｃ  挿入口、
１６  挟持部、
１６ａ  挟持部、
１６ｂ  挟持部、
１６ｃ  挟持部、
１７  位置決め部、
１７ａ  位置決め部、
１７ｂ  位置決め部、
１７ｃ  位置決め部、
１８  端辺、
１８ｃ  端辺、
１８１  結合部材、
１９  側辺、
１９ｃ  側辺、
１９１ｃ  閉合部、
１０１  第一表面、
１０２  第二表面、
２  漏れ防止部、
２ｃ  漏れ防止部、
３  接触層、
４  防水層、
５  吸水層、
６  透水層、
Ａ  男性生殖器、
Ｂ  アンダーパンツ。
【図１】
2015139663.tif 000003
【図２】
2015139663.tif 000004
【図３】
2015139663.tif 000005
【図４】
2015139663.tif 000006
【図５】
2015139663.tif 000007
【図６】
2015139663.tif 000008
【図７】
2015139663.tif 000009
【図８】
2015139663.tif 000010
【図９】
2015139663.tif 000011